【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
音声キャリアでの音声サービスとデータ専用キャリアでのデータ・サービスの双方を提供することのできるネットワーク内でショート・メッセージ・サービス（ＳＭＳ）のメッセージを配信する通信システムであって、
音声サービスとデータ・サービスの双方を支援する移動局（ＭＳ）であって、前記データ専用キャリアでのデータ・セッションに現在関係している前記ＭＳと、
前記ＳＭＳメッセージを受信し、前記ＳＭＳメッセージをインターネット・プロトコル（ＩＰ）パケットへとカプセル化し、かつ前記ＳＭＳメッセージを、前記データ・セッションを中断することなく、前記データ専用キャリアで電子メール・メッセージとして前記ＭＳへと経路付ける、前記ＭＳとの無線通信におけるノードと
を備え、
前記ＳＭＳメッセージを前記ＩＰパケットへとカプセル化するに先立って、前記ＭＳが前記データ・セッションに関係しているか否かをチェックするよう前記ノードが更に動作し、前記ＭＳが前記データ・セッションに関係していないとき、前記ノードが前記ＭＳに前記ＳＭＳメッセージを送信し、
前記ＭＳは、前記ノードにフィーチャー・コードを送信して、前記データ・セッションが始まるとき前記ＭＳがデータ・モードにあることを指示し、前記ノードが前記フィーチャー・コードを受信したときのみ、前記ノードが、前記ＳＭＳメッセージを前記ＩＰパケットへとカプセル化する通信システム。
【請求項２】
前記ノードが移動通信交換局である請求項１に記載の通信システム。
【請求項３】
前記ノードは基地局コントローラである請求項１に記載の通信システム。
【請求項４】
音声キャリアでの音声サービスとデータ専用キャリアでのデータ・サービスの双方を提供することのできるネットワーク内でショート・メッセージ・サービス（ＳＭＳ）のメッセージを配信する通信システムであって、
音声サービスとデータ・サービスの双方を支援する移動局（ＭＳ）であって、前記データ専用キャリアでのデータ・セッションに現在関係している前記ＭＳと、
前記ＳＭＳメッセージを受信し、前記ＳＭＳメッセージをインターネット・プロトコル（ＩＰ）パケットへとカプセル化し、かつ前記ＳＭＳメッセージを、前記データ・セッションを中断することなく、前記データ専用キャリアで電子メール・メッセージとして前記ＭＳへと経路付ける、前記ＭＳとの無線通信におけるノードと
前記ＳＭＳメッセージを前記ノードへと経路付けるショート・メッセージ通信局と
を備え、
前記ノードは、受信された指示子で前記電子メール・メッセージにタグを付け、前記受信された指示子は、前記ＭＳが前記電子メール・メッセージを開くとき前記ノードへの応答メッセージを生成し、前記ノードは、前記応答メッセージを受信すると、配信通知メッセージを前記ショート・メッセージ通信局へと送信する通信システム。
【請求項５】
音声キャリアでの音声サービスとデータ専用キャリアでのデータ・サービスの双方を提供することのできるネットワーク内でショート・メッセージ・サービス（ＳＭＳ）のメッセージを配信する通信システムであって、
音声サービスとデータ・サービスの双方を支援する移動局（ＭＳ）であって、前記データ専用キャリアでのデータ・セッションに現在関係している前記ＭＳと、
前記ＳＭＳメッセージを受信し、前記ＳＭＳメッセージをインターネット・プロトコル（ＩＰ）パケットへとカプセル化し、かつ前記ＳＭＳメッセージを、前記データ・セッションを中断することなく、前記データ専用キャリアで電子メール・メッセージとして前記ＭＳへと経路付ける、前記ＭＳとの無線通信におけるノードと
を備え、
前記電子メール・メッセージは、前記ＭＳの電子メール・アドレスを用いて前記ＭＳへと経路付けされ、
前記フィーチャー・コードは、前記移動通信交換局と関連するビジター・ロケーション・レジスタ内に蓄積される通信システム。
【請求項６】
前記ネットワークは符号分割多重アクセス２０００ネットワークである請求項１に記載の通信システム。
【請求項７】
ショート・メッセージ・サービス（ＳＭＳ）のメッセージを、音声サービスとデータ・サービスの双方を支援する移動局（ＭＳ）に配信する移動通信交換局であって、
前記ＭＳがデータ専用キャリアでのデータ・セッションに現在関係しているか否かを判定する手段と、
前記ＳＭＳメッセージをインターネット・プロトコル（ＩＰ）パケットへとカプセル化して、前記ＭＳが前記データ・セッションに関係しているとき前記ＳＭＳメッセージを電子メール・メッセージとして前記データ専用キャリアで前記ＭＳに経路付けする変換ロジックと
を備え、
前記判定手段は、前記ＭＳが前記データ・セッションに関係していることを指示するフィーチャー・コードを備え、前記フィーチャー・コードは、前記データ・セッションの始めに前記ＭＳによって送信される移動通信交換局。
【請求項８】
前記フィーチャー・コードは、前記移動通信交換局と関連するビジター・ロケーション・レジスタに蓄積される請求項７に記載の移動通信交換局。
【請求項９】
ショート・メッセージ・サービス（ＳＭＳ）のメッセージを、音声サービスとデータ・サービスの双方を支援する移動局（ＭＳ）に配信する移動通信交換局であって、
前記ＭＳがデータ専用キャリアでのデータ・セッションに現在関係しているか否かを判定する手段と、
前記ＳＭＳメッセージをインターネット・プロトコル（ＩＰ）パケットへとカプセル化して、前記ＭＳが前記データ・セッションに関係しているとき前記ＳＭＳメッセージを電子メール・メッセージとして前記データ専用キャリアで前記ＭＳに経路付けする変換ロジックと
前記ＳＭＳメッセージをショート・メッセージ通信局から受信する手段を備え、
前記変換ロジックは、受信された指示子で前記電子メール・メッセージにタグを付け、前記受信された指示子は、前記ＭＳが前記電子メール・メッセージを開くとき、前記移動通信交換局への応答メッセージを生成する移動通信交換局。
【請求項１０】
前記応答メッセージを受信すると前記ショート・メッセージ通信局に配信通知メッセージを送信する手段を更に備える請求項９に記載の移動通信交換局。
【請求項１１】
ショート・メッセージ・サービス（ＳＭＳ）のメッセージを、音声サービスとデータ・サービスの双方を支援する移動局（ＭＳ）に配信する移動通信交換局であって、
前記ＭＳがデータ専用キャリアでのデータ・セッションに現在関係しているか否かを判定する手段と、
前記ＳＭＳメッセージをインターネット・プロトコル（ＩＰ）パケットへとカプセル化して、前記ＭＳが前記データ・セッションに関係しているとき前記ＳＭＳメッセージを電子メール・メッセージとして前記データ専用キャリアで前記ＭＳに経路付けする変換ロジックと
を備え、
前記変換ロジックは、前記ＭＳの電子メール・アドレスを用いて、前記電子メール・メッセージを前記ＭＳへと経路付け、
前記電子メール・アドレスには、前記ＭＳのインターネット・サービス・プロバイダでの前記ＭＳの国際移動加入者識別番号が含まれている移動通信交換局。
【請求項１２】
音声サービスとデータ・サービスの双方を支援する移動局（ＭＳ）にショート・メッセージ・サービス（ＳＭＳ）のメッセージを配信する基地局コントローラであって、
データ専用キャリアでのデータ・セッションに前記ＭＳが現在関係しているか否かを判定する手段と、
前記ＳＭＳメッセージをインターネット・プロトコル（ＩＰ）パケットへとカプセル化して、前記ＭＳが前記データ・セッションに関係しているとき、前記ＳＭＳメッセージを電子メール・メッセージとして前記データ専用キャリアで前記ＭＳへと経路付けする変換ロジックと
を備え、
前記判定手段が、前記ＭＳが前記データ・セッションに関係していることを指示するフィーチャー・コードを備え、前記フィーチャー・コードは、前記データ・セッションの始めに前記ＭＳによって送信される基地局コントローラ。
【請求項１３】
音声サービスとデータ・サービスの双方を支援する移動局（ＭＳ）にショート・メッセージ・サービス（ＳＭＳ）のメッセージを配信する基地局コントローラであって、
データ専用キャリアでのデータ・セッションに前記ＭＳが現在関係しているか否かを判定する手段と、
前記ＳＭＳメッセージをインターネット・プロトコル（ＩＰ）パケットへとカプセル化して、前記ＭＳが前記データ・セッションに関係しているとき、前記ＳＭＳメッセージを電子メール・メッセージとして前記データ専用キャリアで前記ＭＳへと経路付けする変換ロジックと
ショート・メッセージ通信局から前記ＳＭＳメッセージを受信する手段を備え、
前記変換ロジックが受信される指示子で前記電子メール・メッセージにタグを付け、前記受信される指示子は、前記ＭＳが前記電子メール・メッセージを開くとき前記基地局コントローラへの応答メッセージを生成する基地局コントローラ。
【請求項１４】
前記応答メッセージを受信すると前記ショート・メッセージ通信局に配信通知メッセージを送信する手段を更に備える請求項１３に記載の基地局コントローラ。
【請求項１５】
音声サービスとデータ・サービスの双方を支援する移動局（ＭＳ）にショート・メッセージ・サービス（ＳＭＳ）のメッセージを配信する基地局コントローラであって、
データ専用キャリアでのデータ・セッションに前記ＭＳが現在関係しているか否かを判定する手段と、
前記ＳＭＳメッセージをインターネット・プロトコル（ＩＰ）パケットへとカプセル化して、前記ＭＳが前記データ・セッションに関係しているとき、前記ＳＭＳメッセージを電子メール・メッセージとして前記データ専用キャリアで前記ＭＳへと経路付けする変換ロジックと
を備え、
前記変換ロジックは、前記ＭＳの電子メール・アドレスを用いて前記電子メール・メッセージを前記ＭＳへと経路付け、
前記電子メール・アドレスには、前記ＭＳのインターネット・サービス・プロバイダでの前記ＭＳの国際移動加入者識別番号が含まれている基地局コントローラ。
【請求項１６】
音声キャリアでの音声サービスとデータ専用キャリアでのデータ・サービスの双方を提供することのできるネットワーク内でショート・メッセージ・サービス（ＳＭＳ）のメッセージを配信する方法であって、
音声サービスとデータ・サービスの双方を支援する移動局（ＭＳ）との無線通信におけるノードで前記ＳＭＳメッセージを受信し、
前記データ専用キャリアでのデータ・セッションに前記ＭＳが現在関係しているか否かを判定し、
前記判定ステップが更に、
前記データ・セッションが始まるときに前記ＭＳがデータ・モードにあることを指示するフィーチャー・コードを前記ＭＳから前記ノードに送信するステップを備え、
そうでないならば、前記音声キャリアを介して前記ＳＭＳメッセージを前記ＭＳに経路付けするステップとを有し、
そうであるならば、
前記ＳＭＳメッセージをインターネット・プロトコル（ＩＰ）パケットへとカプセル化し、および
前記データ・セッションを中断することなく、前記ＳＭＳメッセージを電子メール・メッセージとして前記ＭＳへと経路付けする
ステップを備える方法。
【請求項１７】
前記ノードが移動通信交換局であって、更に、
前記移動通信交換局と関連するビジター・ロケーション・レジスタ内に前記フィーチャー・コードを蓄積するステップを備える請求項１６に記載の方法。
【請求項１８】
音声キャリアでの音声サービスとデータ専用キャリアでのデータ・サービスの双方を提供することのできるネットワーク内でショート・メッセージ・サービス（ＳＭＳ）のメッセージを配信する方法であって、
音声サービスとデータ・サービスの双方を支援する移動局（ＭＳ）との無線通信におけるノードで前記ＳＭＳメッセージを受信し、
前記データ専用キャリアでのデータ・セッションに前記ＭＳが現在関係しているか否かを判定し、
そうでないならば、前記音声キャリアを介して前記ＳＭＳメッセージを前記ＭＳに経路付けし、かつ
そうであるならば、
前記ＳＭＳメッセージをインターネット・プロトコル（ＩＰ）パケットへとカプセル化し、および
前記データ・セッションを中断することなく、前記ＳＭＳメッセージを電子メール・メッセージとして前記ＭＳへと経路付けする
ステップを備え、
前記ノードが基地局コントローラであって、かつ前記経路付けるステップが更に、
前記基地局コントローラによって、前記データ・セッションのための前記ＭＳと関連する経路付け情報を判定し、
前記経路付け情報を用いて、前記電子メール・メッセージを前記基地局コントローラから前記ＭＳへと配信する
ステップを備える方法。
【請求項１９】
音声キャリアでの音声サービスとデータ専用キャリアでのデータ・サービスの双方を提供することのできるネットワーク内でショート・メッセージ・サービス（ＳＭＳ）のメッセージを配信する方法であって、
音声サービスとデータ・サービスの双方を支援する移動局（ＭＳ）との無線通信におけるノードで前記ＳＭＳメッセージを受信し、前記受信ステップが更に、前記ＳＭＳメッセージをショート・メッセージ通信局から受信するステップを備える前記受信ステップと、
前記データ専用キャリアでのデータ・セッションに前記ＭＳが現在関係しているか否かを判定し、
そうでないならば、前記音声キャリアを介して前記ＳＭＳメッセージを前記ＭＳに経路付けするステップとを有し、
そうであるならば、
前記ＳＭＳメッセージをインターネット・プロトコル（ＩＰ）パケットへとカプセル化し、および
前記データ・セッションを中断することなく、前記ＳＭＳメッセージを電子メール・メッセージとして前記ＭＳへと経路付けする
ステップと、
受信された指示子で前記電子メール・メッセージにタグを付け、
前記受信された指示子によって、前記ＭＳが前記電子メール・メッセージを開くとき、前記ノードへの応答メッセージを生成し、および
前記応答メッセージを受信すると配信通知メッセージを前記ノードから前記ショート・メッセージ通信局に送信する
ステップを更に備える方法。
【請求項２０】
前記経路付けのステップが更に、
前記ＭＳの電子メール・アドレスを用いて前記電子メール・メッセージを前記ＭＳへと経路付けるステップを備える請求項１９に記載の方法。